(57)【特許請求の範囲】
【請求項１】
非着脱式の三脚座と、を備えた交換レンズ装置であって、
前記三脚座は、操作部材と、該操作部材が回転操作されることによって、前記交換レンズ装置の鏡筒に対する前記三脚座の回転を阻止する機構と、を含む回転ストッパ部を有し、
前記操作部材は、前記操作部材の内側に形成された空間につながる穴部を含み、盗難防止部材を装着可能なロック装着部を有し、
前記盗難防止部材は、一端及び他端を有するひも状又は棒状の部材を有し、前記一端が外部に固定され、前記他端が前記穴部を通して前記空間に挿入されることにより前記ロック装着部に装着されることを特徴とする交換レンズ装置。
【発明の詳細な説明】
【技術分野】
【０００１】
本発明は、交換レンズ装置に関し、特に盗難防止部材の装着が可能な交換レンズ装置に関する。
【背景技術】
【０００２】
店内や展示会においては、交換レンズ装置をユーザが手に取れるように展示しておく場合が多い。このような場合、交換レンズ装置の盗難を防止する必要がある。
【０００３】
一般的な展示品の盗難防止対策としては、展示品にセキュリティーワイヤを取り付けたり錠前を使用したりする方法がよく知られている。特許文献１には、セキュリティーワイヤを用いたカメラ用の盗難防止装置が開示されている。また、特許文献２には、パスワードによってカメラの正常動作を制限することで盗難を抑制する方法が開示されている。
【先行技術文献】
【特許文献】
【０００４】
【特許文献１】特開平１１−１３４５６５号公報
【特許文献２】特開平０３−０５１８３４号公報
【発明の概要】
【発明が解決しようとする課題】
【０００５】
しかしながら、特許文献１にて開示された盗難防止装置では、セキュリティーワイヤを装着するための大きなボックス状の部材（支持台）をカメラに固定する必要があり、同様の部材を交換レンズに固定すると、交換レンズ装置の大型化を招く。
【０００６】
また、特許文献２にて開示された方法を交換レンズ装置に適用すると、交換レンズ装置の盗難を抑制することはできるものの、確実に盗難を防ぐことはできない。
【０００７】
本発明は、交換レンズ装置を大型化することなく、その盗難を防止することができるようにした交換レンズ装置を提供する。
【課題を解決するための手段】
【０００８】
本発明の一側面としての交換レンズ装置は、非着脱式の三脚座と、を備える。三脚座は、操作部材と、該操作部材が回転操作されることによって、交換レンズ装置の鏡筒に対する三脚座の回転を阻止する機構と、を含む回転ストッパ部を有する。そして、操作部材は、該操作部材の内側に形成された空間につながる穴部を含み、盗難防止部材を装着可能なロック装着部を有し、盗難防止部材は、一端及び他端を有するひも状又は棒状の部材を有し、一端が外部に固定され、他端が穴部を通して空間に挿入されることによりロック装着部に装着されることを特徴とする。
【発明の効果】
【０００９】
本発明によれば、従来の三脚座にも設けられている回転ストッパ部における操作部材の内側にロック装着部を設けたので、交換レンズ装置を大型化することなく、その盗難を防止することができる。
【図面の簡単な説明】
【００１０】
【図１】本発明の実施例である交換レンズ装置の三脚ノブ部の分解斜視図。
【図２】実施例の交換レンズ装置とデジタル一眼レフカメラを示す断面図。
【図３】図２における（Ａ）部の拡大図。
【図４】実施例における三脚ノブ部の平面図。
【図５】実施例における三脚ノブ部への盗難防止部材の装着／取り外しの仕方を説明する図。
【発明を実施するための形態】
【００１１】
以下、本発明の実施例について図面を参照しながら説明する。
【００１２】
図２には、本発明の実施例である交換レンズ装置と該交換レンズ装置が着脱されるデジタル一眼レフカメラとを示している。
【００１３】
１はデジタル一眼レフカメラ（以下、単にカメラという）である。２はカメラ１に取り外し可能に装着された交換レンズ装置である。
【００１４】
カメラ１において、３は交換レンズ装置２からの光束をファインダ光学系７と撮像素子６とに選択的に導くメインミラーであり、ハーフミラーにより構成されている。図に示すように光路内に配置されたメインミラー３で反射した光束は、ファインダ光学系７および接眼光学系８を介してユーザの眼に導かれ、被写体像の観察を可能とする。また、メインミラー３を透過した光束は、サブミラー４で反射されて焦点検出ユニット５に導かれる。
【００１５】
撮影時には、メインミラー３およびサブミラー４は光路外に退避する。このため、交換レンズ装置２からの光束は、撮像素子６上に被写体像を形成する。撮像素子６は、ＣＣＤセンサやＣＭＯＳセンサにより構成され、被写体像を光電変換する。撮像素子６からの出力信号から画像データが生成され、記録媒体に記録されたり、背面ディスプレイ９に表示されたりする。
【００１６】
交換レンズ装置２は、その鏡筒の内部に、１群レンズＬ１、図示しない変倍レンズ、フォーカスレンズおよび防振レンズ等の複数のレンズや絞りによって構成される撮影光学系を有する。
【００１７】
以下、鏡筒の構成について説明する。２１は外装環であり、固定筒２２の外周に取り付けられている。固定筒２２および外装環２１の後端部には、カメラ１に装着されるマウント２７が固定されている。固定筒２２の前端には、中間筒２３が結合されている。
【００１８】
中間筒２３は、オートフォーカスおよびマニュアルフォーカス時にフォーカスレンズを光軸方向に移動させる不図示のフォーカス駆動ユニットを保持するフォーカス保持部２４や、絞りを保持する絞り保持部等を有する。
【００１９】
２５は１群レンズＬ１を保持する１群鏡筒であり、中間筒２３の前端部に結合されている。中間筒２３の外周には、フォーカス環３２が回転可能に配置されている。フォーカス環３２が回転操作されることで、フォーカス駆動ユニットを介してフォーカスレンズを光軸方向に移動させ、マニュアルフォーカスを行える。
【００２０】
外装環２１の外周には、三脚リング４１が取り付けられている。三脚リング４１には、三脚足４２が取り付けられている。三脚リング４１は、外装環２１に対して複数のベアリングによって光軸回りで回転可能に保持される。三脚リング４１は、外装環２１に周方向９０°間隔で形成された不図示の溝部に対して嵌り込んだり外れたりするローラー４３と、該ローラー４３を外装環２１に向けて付勢する付勢部材（図示せず）とを有する。ユーザが三脚リング４１を鏡筒に対して回転させたときにローラー４３が外装環２１の溝部に嵌り込むことでクリック感が発生するため、三脚リング４１の９０°ごとの回転をユーザに認識させることができる。
【００２１】
また、三脚座リング４１には、回転ストッパ部５０が設けられている。回転ストッパ部５０には、ユーザによる回転操作が可能な操作部材と、該操作部材の回転操作に応じて外装環２１に対する三脚リング４１の回転にブレーキを掛けて、三脚リング４１の外装環２１に対する回転を阻止する機構とを有する。回転ストッパ部５０については、より詳しく後述する。
【００２２】
三脚足４２には、不図示の三脚に固定されるねじ締め部４４と、ユーザが持ち運びし易いようにするためのゴム部４５とを有する。
【００２３】
三脚座リング４１、回転ストッパ部５０および三脚足４２によって、非着脱式の三脚座４０が構成される。非着脱式とは、ユーザ等が意図的に分解しない限り、交換レンズ装置から取り外されることがなく、交換レンズ装置と常に一体のものとして用いられるという意味である。これに対して、着脱式の三脚座は、ユーザによる簡単な操作で交換レンズ装置に対して取り付けたり取り外したりすることができるものを意味する。
【００２４】
次に、図１、図３および図４を用いて、三脚座４０における回転ストッパ部５０の構成について詳しく説明する。図１は図２中の（Ａ）部を分解して示しており、図３は同部の断面を示している。また、図４は、同部の平面図である。なお、以下の説明では、回転ストッパ部５０における鏡筒の径方向外側に向かう側を上側とし、径方向内側に向かう方向を下側とする。
【００２５】
回転ストッパ部５０は、ノブサブユニット６０と、ノブ座５１と、ノブ輪止め軸ビス５２と、ノブ輪５３と、ノブカバー５４と、ノブ座固定用ビス５５とにより構成されている。
【００２６】
ノブサブユニット６０は、図３に示す軸（Ｏ）を中心として回転可能な回転部材であるノブ軸６１と、ノブ軸６１の上部に形成された円筒形状の空間６１ｂの上端開口を覆うように配置されるノブ板６２と、該ノブ板６２をノブ軸６１に固定するビス６３とを有する。さらに、ノブサブユニット６０は、ノブ軸６１の外周にインサート成型によってノブ軸６１に対して一体的に形成され、ユーザが回転操作するために手で持つ操作リング６４を有する。操作リング６４とノブ軸６１とは軸（Ｏ）回りで一体回転する。操作リング６４とノブ軸６１とにより操作部材が構成される。
【００２７】
ノブ軸６１の下部における軸（Ｏ）回りには、雄ネジ部６１ａが形成されている。ノブ座５１には、雄ネジ部６１ａに螺合する雌ネジ部が形成されている。ノブ座５１は、三脚リング４１に対してノブ座固定用ビス５５によって固定されている。このため、操作リング６４とノブ軸６１を回転させると、ノブサブユニット６０がノブ座５１（つまりは三脚リング４１）に対して、三脚リング４１および外装環２１の径方向である図３の上下方向に移動する。
【００２８】
ノブ軸６１の下端部（三脚リング４１および外装環２１側の端部）には、ノブ輪５３がノブ輪止め軸ビス５２によってノブ軸６１に対して回転可能に取り付けられている。操作リング６４とノブ軸６１の回転によってノブサブユニット６０が下動すると、ノブ輪５３が外装環２１の外周面に押し付けられて三脚リング４１の外装環２１回りでの回転にブレーキが掛けられ、該回転が阻止される。
【００２９】
本実施例では、高い強度が必要な雄ネジ部６１ａや後述するキー部材が挿入される空間部６１ｂが形成されたり、ノブ板６２が固定されたりするノブ軸６１を、剛性の高い金属材料により形成する。一方、ユーザが手で触れる操作リング６４は、プラスチック材やゴム材等の弾性または柔軟性のある材料により形成して、良好な操作感が得られるようにしている。
【００３０】
ノブ板６２のうち軸（Ｏ）が通る中央部には、図４に示すように、ノブ軸６１内の空間部６１ｂにつながる長穴形状の穴部６２ａが形成されている。この穴部６２ａには、図５（ａ）に示すように、盗難防止部材であるセキュリティーワイヤ７５の一端に設けられたロック部７０のキー部材７１を挿入することができる。本実施例では、ケンジントンロックを構成している。
【００３１】
キー部材７１は、穴部６２ａを通ってノブ軸６１内の空間部６１ｂまで挿入される。そして、図５（ｂ）に示すように、空間部６１ｂまで挿入されたキー部材７１が軸（Ｏ）回りで９０°回転されると、キー部材７１がノブ板６２に係合して穴部６２ａから抜けなくなる。これにより、セキュリティーワイヤ７５のロック部７０がノブ板６２（つまりは回転ストッパ部５０）に装着される。このように、ノブ板６２は、回転ストッパ部５０における操作部材の内側において、盗難防止部材が装着されるロック装着部を構成する。図５（ｂ）の状態から図５（ａ）の状態にキー部材７１を回転させれば、セキュリティーワイヤ７５のロック部７０を回転ストッパ部５０から取り外すことができる。

【００３２】
なお、本実施例では、ノブ板６２をノブ軸６１にビス６３を固定した後に、ノブ板６２とビス６３まで覆うように操作リング６４をノブ軸６１の外周にインサート成型する場合を示している。このため、操作リング６４のうちノブ板６２を覆う部分には、穴部６２ａにつながる穴部６４ａが形成されている。このように、操作リング６４によってノブ板６２およびビス６３まで覆うように形成することで、ノブ軸６１からノブ板６２が取り外されることを防止している。
【００３３】
ノブカバー５４は、セキュリティーワイヤ７５のロック部７０を回転ストッパ部５０に装着しないときに操作リング６４の上面を覆うカバー部５４ａと、該カバー部５４ａから伸びる脚部５４ｂとを有する。カバー部５４ａは、操作リング６４の穴部６４ａに嵌り込むことが可能な凸部５４ｄを有する。操作リング６４の穴部６４ａは、ノブ板６２の穴部６２ａよりも若干大きく形成されており、穴部６４ａに挿入された凸部５４ｄの先端は、ノブ板６２の穴部６２ａの周辺部分でそれ以上の挿入が阻止される。
【００３４】
脚部５４ｂは、その先端に抜け止め部５４ｃを有し、ノブサブユニット６０に形成されたノブカバー取り付け穴６０ａに挿入されることで、ノブカバー５４をノブサブユニット６０に対して取り付ける。抜け止め部５４ｃは脚部５４ｂが伸びる方向に遊びを有しており、セキュリティーワイヤ７５のロック部７０を回転ストッパ部５０に装着する際には、カバー部５４ａを邪魔にならない位置まで開くことができる。
【００３５】
本実施例によれば、従来の三脚座にも設けられている回転ストッパ部５０の操作部材（６１，６４）の内側に、盗難防止部材を装着可能なロック装着部としてのノブ板６２を設けたので、交換レンズ装置２を大型化することなく、その盗難を防止ことができる。言い換えれば、盗難防止部材を装着するための大きな部材を追加することなく、高い盗難防止効果を得ることができる。
【００３６】
なお、盗難防止部材の装着方法としては、ケンジントンロックに限らず、他の装着方法を用いてもよい。例えば、回転ストッパ部５０に貫通穴を形成し、該貫通穴にワイヤや錠前を挿通する方法を用いてもよい。
【００３７】
貫通穴を設ける箇所は、三脚座のノブ形状に限定されず、三脚リングや三脚足に設けてもよい。
【００３８】
以上説明した各実施例は代表的な例にすぎず、本発明の実施に際しては、各実施例に対して種々の変形や変更が可能である。
【産業上の利用可能性】
【００３９】
盗難を防止できる小型の交換レンズ装置を提供できる。
【符号の説明】
【００４０】
４０  三脚座
５０  回転ロック部
６１  ノブ軸
６４  操作リング
６１ｂ  空間部
６２  ノブ板
７０  ロック部材
【図１】
0005653118.tif 000002
【図２】
0005653118.tif 000003
【図３】
0005653118.tif 000004
【図４】
0005653118.tif 000005
【図５】
0005653118.tif 000006